(57)【特許請求の範囲】
【請求項１】
第１のネットワークに位置登録している移動局に対して、該第１のネットワークによって第１の通信サービスを提供し、第２のネットワークに位置登録している移動局に対して、該第２のネットワークによって第２の通信サービスを提供する移動通信システムであって、
前記第１のネットワークは、前記移動局から、前記第１のネットワークに対する位置登録要求を受信した場合で、かつ、該移動局においてＶＣＣ（Ｖｏｉｃｅ  Ｃａｌｌ  Ｃｏｎｔｉｎｕｉｔｙ）機能がオンになっている場合に、該第１のネットワークにおいて該移動局の位置登録を行うと共に、インターワーキング装置に対して、前記第２のネットワークにおいて該移動局の位置登録を行うように指示し、
前記インターワーキング装置は、前記第１のネットワークからの指示に応じて、前記移動局の前記第２のネットワークに対する位置登録要求を該第２のネットワークに送信することを特徴とする移動通信システム。
【請求項２】
前記第２のネットワークにおいて前記移動局の位置登録が完了した場合、前記第２のネットワークは、その旨を該移動局に対して通知することを特徴とする請求項１に記載の移動通信システム。
【請求項３】
前記第１のネットワークに対する位置登録要求及び前記第２のネットワークに対する位置登録要求には、前記移動局に割り当てられている加入者識別子が含まれていることを特徴とする請求項１又は２に記載の移動通信システム。
【請求項４】
前記インターワーキング装置は、前記第１のネットワークからの指示に応じて、前記移動局の前記第２のネットワークに対する位置登録要求を該第２のネットワークに送信すると共に、該第１のネットワークと該第２のネットワークとの間のハンドオーバを実現するためのアプリケーション機能及びネットワークドメイン選択機能を搭載するアプリケーションサーバに対する該移動局の登録手順を行うことを特徴とする請求項１乃至３のいずれか一項に記載の移動通信システム。
【請求項５】
第１のネットワークに位置登録している移動局に対して、該第１のネットワークによって第１の通信サービスを提供し、第２のネットワークに位置登録している移動局に対して、該第２のネットワークによって第２の通信サービスを提供する移動通信方法であって、
前記移動局が、前記第１のネットワークに対する位置登録要求を送信する工程Ａと、
前記第１のネットワークが、前記移動局によって送信された前記第１のネットワークに対する位置登録要求を受信した場合で、かつ、該移動局においてＶＣＣ（Ｖｏｉｃｅ  Ｃａｌｌ  Ｃｏｎｔｉｎｕｉｔｙ）機能がオンになっている場合に、該第１のネットワークにおいて該移動局の位置登録を行うと共に、インターワーキング装置に対して、前記第２のネットワークにおいて該移動局の位置登録を行うように指示する工程Ｂと、
前記インターワーキング装置が、前記第１のネットワークからの指示に応じて、前記移動局の前記第２のネットワークに対する位置登録要求を該第２のネットワークに送信する工程Ｃと、
前記第２のネットワークが、前記インターワーキング装置から送信された前記移動局の前記第２のネットワークに対する位置登録要求に応じて、該第２のネットワークにおいて該移動局の位置登録を行う工程Ｄとを有することを特徴とする移動通信方法。
【請求項６】
前記第１のネットワークに対する位置登録要求及び前記第２のネットワークに対する位置登録要求には、前記移動局に割り当てられている加入者識別子が含まれていることを特徴とする請求項５に記載の移動通信方法。
【請求項７】
前記工程Ｄにおいて、前記インターワーキング装置は、前記第１のネットワークからの指示に応じて、前記移動局の前記第２のネットワークに対する位置登録要求を該第２のネットワークに送信すると共に、該第１のネットワークと該第２のネットワークとの間のハンドオーバを実現するためのアプリケーション機能及びネットワークドメイン選択機能を搭載するアプリケーションサーバに対する該移動局の登録手順を行うことを特徴とする請求項５又は６に記載の移動通信方法。
【請求項８】
第１のネットワークに位置登録している移動局に対して、該第１のネットワークによって第１の通信サービスを提供し、第２のネットワークに位置登録している移動局に対して、該第２のネットワークによって第２の通信サービスを提供する移動通信システムにおいて用いられる第１のネットワーク用の交換機であって、
前記移動局から、前記第１のネットワークに対する位置登録要求を受信する位置登録要求受信部と、
前記第１のネットワークに対する位置登録要求に応じて、該第１のネットワークにおいて前記移動局の位置登録を行う位置登録処理部と、
前記移動局においてＶＣＣ（Ｖｏｉｃｅ  Ｃａｌｌ  Ｃｏｎｔｉｎｕｉｔｙ）機能がオンになっている場合にのみ、前記第１のネットワークに対する位置登録要求に応じて、インターワーキング装置に対して、前記第２のネットワークにおいて該移動局の位置登録を行うように指示する指示部とを具備することを特徴とする交換機。
【請求項９】
前記第１のネットワークに対する位置登録要求及び前記第２のネットワークに対する位置登録要求には、前記移動局に割り当てられている加入者識別子が含まれていることを特徴とする請求項８に記載の交換機。
【発明の詳細な説明】
【技術分野】
【０００１】
本発明は、第１のネットワークに位置登録している移動局に対して、該第１のネットワークによって第１の通信サービスを提供し、第２のネットワークに位置登録している移動局に対して、該第２のネットワークによって第２の通信サービスを提供する移動通信システム、移動通信方法及び交換機に関する。
【背景技術】
【０００２】
近年、広いエリアにおいて音声通信サービスを提供可能な携帯電話ネットワーク（回線交換ネットワーク）と安価な音声通信サービスを提供可能なＶｏＩＰネットワーク（ＩＰベースのネットワーク）とを用いて、移動局に対して音声通信サービスを提供する移動通信システムが検討されている。
【０００３】
第３世代移動通信システムの国際標準化団体である「３ＧＰＰ（３ｒｄ  Ｇｅｎｅｒａｔｉｏｎ  Ｐａｒｔｎｅｒｓｈｉｐ  Ｐｒｏｊｅｃｔ）」では、「ＶＣＣ（Ｖｏｉｃｅ  Ｃａｌｌ  Ｃｏｎｔｉｎｕｉｔｙ）」という枠組みの中で、かかる移動通信システムについて検討されている（図６参照）。
【０００４】
現在検討されている移動通信システムでは、移動局が、携帯電話ネットワークによって提供される音声通信サービスと、ＶｏＩＰネットワークによって提供される音声通信サービスとを、場所によって使い分けるためには、両方のネットワークにおいて該移動局の位置登録が行われている必要がある。
【０００５】
すなわち、移動局は、当該移動局の位置登録が行われていないネットワークを利用して、音声通信サービス（着信及び発信の両方とも）を利用することができない。
【０００６】
そのため、現在検討されている移動通信システムでは、常時、携帯電話ネットワーク及びＶｏＩＰネットワークの双方において移動局の位置登録を自動的に行う「Ｓｔａｔｉｃ」方式（図７参照）や、移動局が、ハンドオーバーによって、携帯電話ネットワーク及びＶｏＩＰネットワークのどちらのネットワークによって提供される音声通信サービスを利用するのかを切り替えた後に、切り替え先のネットワークにおいて当該移動局の位置登録を行う「Ｄｙｎａｍｉｃ」方式が想定されている。
【非特許文献１】３ＧＰＰ  ＴＲ２３.８０６  Ｖｏｉｃｅ  Ｃａｌｌ  Ｃｏｎｔｉｎｕｉｔｙ  ｂｅｔｗｅｅｎ  ＣＳ  ａｎｄ  ＩＭＳ  Ｓｔｕｄｙ（Ｒｅｌｅａｓｅ  ７）
【発明の開示】
【発明が解決しようとする課題】
【０００７】
しかしながら、上述の「Ｓｔａｔｉｃ」方式が適用されている移動通信システムでは、携帯電話ネットワーク及びＶｏＩＰネットワークの双方において移動局の位置登録を自動的に行う必要があるため、移動局における手順が煩雑化すると共に、移動局から送信される位置登録要求によって、無線アクセスネットワークにおける信号量が増大するという問題点があった。
【０００８】
また、上述の「Ｓｔａｔｉｃ」方式が適用されている移動通信システムでは、ＶｏＩＰネットワークにアクセスすることができないエリアでは、ＶｏＩＰネットワークにおいて移動局の位置登録を行うことができないという問題点があった。
【０００９】
さらに、上述の「Ｄｙｎａｍｉｃ」方式が適用されている移動通信システムでは、両ネットワーク間のハンドオーバー時に移動局の位置登録を行う必要があるため、ハンドオーバー処理に時間がかかるという問題点があった。
【００１０】
そこで、本発明は、上述の課題に鑑みてなされたものであり、簡単な手順で、確実に、複数のネットワークにおいて移動局の位置登録を行うことができ、複数のネットワークによって提供されるサービスを使い分けることができる移動通信システム、移動通信方法及び交換機を提供することを目的とする。
【課題を解決するための手段】
【００１１】
本発明の第１の特徴は、第１のネットワークに位置登録している移動局に対して、該第１のネットワークによって第１の通信サービスを提供し、第２のネットワークに位置登録している移動局に対して、該第２のネットワークによって第２の通信サービスを提供する移動通信システムであって、前記第１のネットワークは、前記移動局から、前記第１のネットワークに対する位置登録要求を受信した場合、該第１のネットワークにおいて該移動局の位置登録を行うと共に、インターワーキング装置に対して、前記第２のネットワークにおいて該移動局の位置登録を行うように指示し、前記インターワーキング装置は、前記第１のネットワークからの指示に応じて、前記移動局の前記第２のネットワークに対する位置登録要求を該第２のネットワークに送信することを要旨とする。
【００１２】
本発明の第１の特徴において、前記移動局が、所定の動作状態である場合にのみ、前記第１のネットワークは、前記インターワーキング装置に対して、前記第２のネットワークにおいて該移動局の位置登録を行うように指示してもよい。
【００１３】
本発明の第１の特徴において、前記第２のネットワークにおいて前記移動局の位置登録が完了した場合、前記第２のネットワークは、その旨を該移動局に対して通知してもよい。
【００１４】
本発明の第２の特徴は、第１のネットワークに位置登録している移動局に対して、該第１のネットワークによって第１の通信サービスを提供し、第２のネットワークに位置登録している移動局に対して、該第２のネットワークによって第２の通信サービスを提供する移動通信方法であって、前記移動局が、前記第１のネットワークに対する位置登録要求を送信する工程と、前記第１のネットワークが、前記移動局によって送信された前記第１のネットワークに対する位置登録要求に応じて、該第１のネットワークにおいて該移動局の位置登録を行うと共に、インターワーキング装置に対して、前記第２のネットワークにおいて該移動局の位置登録を行うように指示する工程と、前記インターワーキング装置が、前記第１のネットワークからの指示に応じて、前記移動局の前記第２のネットワークに対する位置登録要求を該第２のネットワークに送信する工程と、前記第２のネットワークが、前記インターワーキング装置から送信された前記移動局の前記第２のネットワークに対する位置登録要求に応じて、該第２のネットワークにおいて該移動局の位置登録を行う工程とを有することを要旨とする。
【００１５】
本発明の第３の特徴は、第１のネットワークに位置登録している移動局に対して、該第１のネットワークによって第１の通信サービスを提供し、第２のネットワークに位置登録している移動局に対して、該第２のネットワークによって第２の通信サービスを提供する移動通信システムにおいて用いられる第１のネットワーク用の交換機であって、前記移動局から、前記第１のネットワークに対する位置登録要求を受信する位置登録要求受信部と、前記第１のネットワークに対する位置登録要求に応じて、該第１のネットワークにおいて前記移動局の位置登録を行う位置登録処理部と、前記移動局が、所定の動作状態である場合にのみ、前記第１のネットワークに対する位置登録要求に応じて、インターワーキング装置に対して、前記第２のネットワークにおいて該移動局の位置登録を行うように指示する指示部とを具備することを要旨とする。
【発明の効果】
【００１６】
以上説明したように、本発明によれば、簡単な手順で、確実に、複数のネットワークにおいて移動局の位置登録を行うことができ、複数のネットワークによって提供されるサービスを使い分けることができる移動通信システム、移動通信方法及び交換機を提供することができる。
【発明を実施するための最良の形態】
【００１７】
（本発明の第１の実施形態に係る移動通信システム）
図１乃至図３を参照して、本発明の第１の実施形態に係る移動通信システムの構成について説明する。
【００１８】
本実施形態に係る移動通信システムは、図１に示すように、回線交換ネットワーク（第１のネットワーク）３Ｇ-ＣＳに位置登録している移動局ＶＣＣ-ＵＥ＃Ａに対して、回線交換ネットワーク３Ｇ-ＣＳによって広いエリアにおいて音声通信サービス（第１の通信サービス）を提供し、ＶｏＩＰネットワーク（第２のネットワーク）ＩＰ-ＣＡＮに位置登録している移動局ＶＣＣ-ＵＥ＃Ａに対して、ＶｏＩＰネットワークＩＰ-ＣＡＮによって安価な音声通信サービス（第２の通信サービス）を提供するように構成されている。
【００１９】
図１に示すように、本実施形態に係る移動通信システムは、回線交換ネットワーク３Ｇ-ＣＳ用の交換機ＶＭＳＣと、回線交換ネットワーク３Ｇ-ＣＳ用の位置管理サーバＨＬＲと、ＶｏＩＰネットワークＩＰ-ＣＡＮ用の位置管理サーバＨＳＳと、ＶｏＩＰネットワークＩＰ-ＣＡＮ用の交換機Ｓ-ＣＳＣＦと、インターワーキング装置ＩＷＦと、ハンドオーバー処理用のアプリケーションサーバＣＣＣＦ/ＮｅＤＳと、データ転送用のゲートウェイ装置ＭＧＷと、制御情報用のゲートウェイ装置ＭＧＣＦとを具備している。
【００２０】
ＶＣＣ機能を具備している移動局ＶＣＣ-ＵＥ＃Ａは、無線アクセスネットワークを介して、回線交換ネットワーク３Ｇ-ＣＳ及びＶｏＩＰネットワークＩＰ-ＣＡＮにアクセスするように構成されている。
【００２１】
また、回線交換ネットワーク３Ｇ-ＣＳ用の交換機ＶＭＳＣとインターワーキング装置ＩＷＦとは、インターフェイスＣＡＭＥＬ-ＩＦを介して接続されており、ＶｏＩＰネットワークＩＰ-ＣＡＮ用の交換機Ｓ-ＣＳＣＦとインターワーキング装置ＩＷＦとは、インターフェイスＳＩＰ-ＩＦを介して接続されている。
【００２２】
図２に示すように、回線交換ネットワーク３Ｇ-ＣＳ用の交換機ＶＭＳＣは、位置登録要求受信部１１と、位置登録要求送信部１２と、加入者情報保持要求受信部１３と、ＩＭＳ登録要求送信部１４と、登録完了応答送信部１５とを具備している。
【００２３】
位置登録要求受信部１１は、移動局ＶＣＣ-ＵＥ＃Ａから、回線交換ネットワーク３Ｇ-ＣＳに対する位置登録要求（ＣＳ-Ａｔｔａｃｈ）を受信するように構成されている。
【００２４】
ここで、「ＣＳ-Ａｔｔａｃｈ」には、加入者識別子として「ＩＭＳＩ：Ｉｎｔｅｒｎａｔｉｏｎａｌ  Ｍｏｂｉｌｅ  Ｓｕｂｓｃｒｉｂｅｒ  ＩＤ」が含まれている。
【００２５】
位置登録要求送信部１２は、位置登録要求受信部１１によって受信された「ＣＳ-Ａｔｔａｃｈ」に応じて、回線交換ネットワーク３Ｇ-ＣＳにおいて移動局ＶＣＣ-ＵＥ＃Ａの位置登録を行うように構成されている。
【００２６】
具体的には、位置登録要求送信部１２は、回線交換ネットワーク３Ｇ-ＣＳ用の位置管理サーバＨＬＲに対して、ＩＭＳＩを含む位置登録要求を送信することによって、移動局ＶＣＣ-ＵＥ＃Ａの位置登録を行うように構成されている。
【００２７】
加入者情報保持要求受信部１３は、回線交換ネットワーク３Ｇ-ＣＳ用の位置管理サーバＨＬＲから送信された加入者情報保持要求を受信するように構成されている。
【００２８】
また、加入者情報保持要求受信部１３は、加入者情報保持要求に含まれている移動局ＶＣＣ-ＵＥ＃Ａについての加入者情報（ユーザプロファイル）を保持するように構成されている。
【００２９】
例えば、加入者情報には、移動局ＶＣＣ-ＵＥ＃ＡにおいてＶＣＣ機能がオンであるかオフであるかについて示すＶＣＣ機能情報や、移動局ＶＣＣ-ＵＥ＃Ａに割り当てられている電話番号等が含まれている。
【００３０】
また、加入者情報保持要求受信部１３は、回線交換ネットワーク３Ｇ-ＣＳ用の位置管理サーバＨＬＲから送信された加入者情報保持要求を受信した旨を、ＩＭＳ登録要求送信部１４及び登録完了応答送信部１５に通知するように構成されている。
【００３１】
ＩＭＳ登録要求送信部１４は、移動局ＶＣＣ-ＵＥ＃Ａが、所定の動作状態である場合（すなわち、移動局ＶＣＣ-ＵＥ＃ＡにおいてＶＣＣ機能がオンになっている場合、又は、移動局ＶＣＣ-ＵＥ＃ＡがＶＣＣ機能を具備している場合）にのみ、位置登録要求受信部１１によって受信された「ＣＳ-Ａｔｔａｃｈ」（回線交換ネットワーク３Ｇ-ＣＳに対する位置登録要求）に応じて、インターワーキング装置ＩＷＦに対して、ＶｏＩＰネットワークＩＰ-ＣＡＮにおいて移動局ＶＣＣ-ＵＥ＃Ａの位置登録を行うように指示する。
【００３２】
登録完了応答送信部１５は、加入者情報保持要求受信部１３からの通知に応じて、回線交換ネットワーク３Ｇ-ＣＳにおいて移動局ＶＣＣ-ＵＥ＃Ａの位置登録が完了したことを通知する登録完了応答を、無線アクセスネットワークを介して移動局ＶＣＣ-ＵＥ＃Ａに送信するように構成されている。
【００３３】
図３に示すように、移動局ＶＣＣ-ＵＥ＃Ａは、位置登録要求送信部２１と、登録完了応答受信部２２と、状態管理部２３とを具備している。
【００３４】
位置登録要求送信部２１は、無線アクセスネットワークを介して、回線交換ネットワーク３Ｇ-ＣＳに対して、回線交換ネットワーク３Ｇ-ＣＳにおいて移動局ＶＣＣ-ＵＥ＃Ａの位置登録を行うための位置登録要求である「ＣＳ-Ａｔｔａｃｈ」を送信するように構成されている。
【００３５】
位置登録要求送信部２１は、状態管理部２３を参照して、ＶＣＣ機能がオンであるかオフであるかについて示すＶＣＣ機能情報を取得し、かかる情報を「ＣＳ-Ａｔｔａｃｈ」で通知するように構成されていてもよい。
【００３６】
なお、位置登録要求送信部２１は、無線アクセスネットワークを介して、ＶｏＩＰネットワークＩＰ-ＣＡＮに対して、ＶｏＩＰネットワークＩＰ-ＣＡＮにおいて移動局ＶＣＣ-ＵＥ＃Ａの位置登録を行うための位置登録要求である「ＩＭＳ-Ｒｅｇｉｓｔｒａｔｉｏｎ」を送信するように構成されていてもよい。
【００３７】
登録完了応答受信部２２は、回線交換ネットワーク３Ｇ-ＣＳにおいて移動局ＶＣＣ-ＵＥ＃Ａの位置登録が完了したことを示す登録完了応答を回線交換ネットワーク３Ｇ-ＣＳから受信し、ＶｏＩＰネットワークＩＰ-ＣＡＮにおいて移動局ＶＣＣ-ＵＥ＃Ａの位置登録が完了したことを示す登録完了応答をＶｏＩＰネットワークＩＰ-ＣＡＮから受信するように構成されている。
【００３８】
状態管理部２３は、移動局ＶＣＣ-ＵＥ＃Ａの状態を管理するように構成されている。例えば、状態管理部２３は、移動局ＶＣＣ-ＵＥ＃Ａに割り当てられている電話番号や、移動局ＶＣＣ-ＵＥ＃ＡにおいてＶＣＣ機能がオンであるかオフであるかについて示すＶＣＣ機能情報や、移動局ＶＣＣ-ＵＥ＃Ａの位置登録状況等を管理するように構成されている。
【００３９】
ＶｏＩＰネットワークＩＰ-ＣＡＮ用の交換機Ｓ-ＣＳＣＦは、例えば、ＳＩＰサーバとして機能するように構成されている。ＶｏＩＰネットワークＩＰ-ＣＡＮ用の交換機Ｓ-ＣＳＣＦは、インターワーキング装置ＩＷＦから送信された移動局ＶＣＣ-ＵＥ＃ＡのＶｏＩＰネットワークＩＰ-ＣＡＮに対する位置登録要求「ＩＭＳ-Ｒｅｇｉｓｔｒａｔｉｏｎ」に応じて、ＶｏＩＰネットワークＩＰ-ＣＡＮにおいて移動局ＶＣＣ-ＵＥ＃Ａの位置登録を行うように構成されている。
【００４０】
具体的には、ＶｏＩＰネットワークＩＰ-ＣＡＮ用の交換機Ｓ-ＣＳＣＦは、ＶｏＩＰネットワークＩＰ-ＣＡＮ用の位置管理サーバＨＳＳ及びハンドオーバー処理用のアプリケーションサーバＣＣＣＦ/ＮｅＤＳに対して、移動局ＶＣＣ-ＵＥ＃Ａの位置登録を行うように構成されている。
【００４１】
また、ＶｏＩＰネットワークＩＰ-ＣＡＮ用の交換機Ｓ-ＣＳＣＦは、ＶｏＩＰネットワークＩＰ-ＣＡＮにおいて移動局ＶＣＣ-ＵＥ＃Ａの位置登録が完了した場合、その旨を移動局ＶＣＣ-ＵＥ＃Ａに対して通知するように構成されている。
【００４２】
インターワーキング装置ＩＷＦは、回線交換ネットワーク３Ｇ-ＣＳ用の交換機ＶＭＳＣからの指示に応じて、移動局ＶＣＣ-ＵＥ＃ＡのＶｏＩＰネットワークＩＰ-ＣＡＮに対する位置登録要求を、ＶｏＩＰネットワークＩＰ-ＣＡＮに送信するように構成されている。
【００４３】
具体的には、インターワーキング装置ＩＷＦは、回線交換ネットワーク３Ｇ-ＣＳ用の交換機ＶＭＳＣからの指示に応じて、ＳＩＰのＲｅｇｉｓｔｒａｔｉｏｎメッセージとしての「ＩＭＳ-Ｒｅｇｉｓｔｒａｔｉｏｎ」を生成して、ＶｏＩＰネットワークＩＰ-ＣＡＮ用の交換機Ｓ-ＣＳＣＦに対して送信するように構成されている。
【００４４】
ハンドオーバー処理用のアプリケーションサーバＣＣＣＦ/ＮｅＤＳは、回線交換ネットワーク３Ｇ-ＣＳとＶｏＩＰネットワークＩＰ-ＣＡＮとの間のハンドオーバーを実現するためのアプリケーション（ＣＣＣＦ（Ｃａｌｌ  Ｃｏｎｔｉｎｕｉｔｙ  Ｃｏｎｔｒｏｌ  Ｆｕｎｃｔｉｏｎ）機能及びＮｅＤＳ（Ｎｅｔｗｏｒｋ  Ｄｏｍａｉｎ  Ｓｅｌｅｃｔｉｏｎ）機能）を搭載している。
【００４５】
データ転送用のゲートウェイ装置ＭＧＷは、回線交換ネットワーク３Ｇ-ＣＳとＶｏＩＰネットワークＩＰ-ＣＡＮとの間で、ユーザデータ（Ｕ-Ｐｌａｎｅ）を転送するように構成されている。
【００４６】
制御情報用のゲートウェイ装置ＭＧＣＦは、回線交換ネットワーク３Ｇ-ＣＳとＶｏＩＰネットワークＩＰ-ＣＡＮとの間で、制御情報（Ｃ-Ｐｌａｎｅ）を転送するように構成されている。
【００４７】
（本発明の第１の実施形態に係る移動通信システムの動作）
以下、図４及び図５を参照して、本実施形態に係る移動通信システムの動作について説明する。具体的には、本実施形態に係る移動通信システムにおいて、移動局ＶＣＣ-ＵＥ＃Ａが、回線交換ネットワーク３Ｇ-ＣＳ及びＶｏＩＰネットワークＩＰ-ＣＡＮの両者に位置登録する動作について説明する。
【００４８】
図４に示すように、ステップＳ１００１において、移動局ＶＣＣ-ＵＥ＃Ａは、無線アクセスネットワークを介して、回線交換ネットワーク３Ｇ-ＣＳ用の交換機ＶＭＳＣに対して、移動局ＶＣＣ-ＵＥ＃ＡのＩＭＳＩを含む位置登録要求（ＣＳ-Ａｔｔａｃｈ）を送信する。
【００４９】
ステップＳ１００２において、回線交換ネットワーク３Ｇ-ＣＳ用の交換機ＶＭＳＣは、回線交換ネットワーク３Ｇ-ＣＳ用の位置管理サーバＨＬＲに対して、移動局ＶＣＣ-ＵＥ＃ＡのＩＭＳＩを含む位置登録要求を送信する。
【００５０】
ステップＳ１００３において、回線交換ネットワーク３Ｇ-ＣＳ用の位置管理サーバＨＬＲは、かかる位置登録要求の受信に応じて、移動局ＶＣＣ-ＵＥ＃Ａについての認証処理を行う。
【００５１】
移動局ＶＣＣ-ＵＥ＃Ａについての認証処理が成功した場合、ステップＳ１００４において、回線交換ネットワーク３Ｇ-ＣＳ用の位置管理サーバＨＬＲは、回線交換ネットワーク３Ｇ-ＣＳ用の交換機ＶＭＳＣに対して、移動局ＶＣＣ-ＵＥ＃Ａに係るＶＣＣ機能情報や電話番号等の加入者情報を保持するように要求する加入者情報保持要求を送信する。
【００５２】
ステップＳ１００５において、回線交換ネットワーク３Ｇ-ＣＳ用の交換機ＶＭＳＣは、受信した加入者情報保持要求に応じて、加入者情報を保持する。
【００５３】
回線交換ネットワーク３Ｇ-ＣＳ用の交換機ＶＭＳＣは、ステップＳ１００６Ａにおいて、インターワーキング装置ＩＷＦに対して、移動局ＶＣＣ-ＵＥ＃ＡのＶｏＩＰネットワークＩＰ-ＣＡＮにおける位置登録要求（ＩＭＳ-Ｒｅｇｉｓｔｒａｔｉｏｎ）を送信するように指示し、ステップＳ１００６Ｂにおいて、無線アクセスネットワークを介して、移動局ＶＣＣ-ＵＥ＃Ａに対して、回線交換ネットワーク３Ｇ-ＣＳにおける移動局ＶＣＣ-ＵＥ＃Ａの位置登録が完了した旨を示す登録完了応答を送信する。
【００５４】
ステップＳ１００７において、インターワーキング装置ＩＷＦは、回線交換ネットワーク３Ｇ-ＣＳ用の交換機ＶＭＳＣからの指示に応じて、移動局ＶＣＣ-ＵＥ＃ＡのＶｏＩＰネットワークＩＰ-ＣＡＮにおける位置登録要求（ＩＭＳ-Ｒｅｇｉｓｔｒａｔｉｏｎ）を生成する。
【００５５】
ここで、「ＩＭＳ-Ｒｅｇｉｓｔｒａｔｉｏｎ」の宛先アドレスには、ＶｏＩＰネットワークＩＰ-ＣＡＮ用の交換機Ｓ-ＣＳＣＦのＩＰアドレスが設定されるものとする。
【００５６】
また、例えば、「ＩＭＳ-Ｒｅｇｉｓｔｒａｔｉｏｎ」には、移動局ＶＣＣ-ＵＥ＃ＡのＩＭＳＩや、移動局ＶＣＣ-ＵＥ＃Ａに割り当てられている電話番号や、移動局ＶＣＣ-ＵＥ＃Ａに係るＶＣＣ機能情報や、移動局ＶＣＣ-ＵＥ＃Ａの回線交換ネットワーク３Ｇ-ＣＳにおける在圏交換機を示す情報等が含まれている。
【００５７】
ステップＳ１００８において、３ＧＰＰ  ＴＳ２３．２２８第４２頁に規定されているＳ-ＣＳＣＦ登録手順が実行され、ステップＳ１００９において、３ＧＰＰ  ＴＳ２３．２２８第６２頁に規定されているＡＳ（アプリケーションサーバ）登録手順が実行される。この結果、ＶｏＩＰネットワークＩＰ-ＣＡＮにおける移動局ＶＣＣ-ＵＥ＃Ａの位置登録が完了する。
【００５８】
ステップＳ１０１０において、ＶｏＩＰネットワークＩＰ-ＣＡＮ用の交換機Ｓ-ＣＳＣＦが、無線アクセスネットワークを介して、移動局ＶＣＣ-ＵＥ＃Ａに対して、ＶｏＩＰネットワークＩＰ-ＣＡＮにおける移動局ＶＣＣ-ＵＥ＃Ａの位置登録が完了した旨を示す登録完了応答を送信する。
【００５９】
（本発明の第１の実施形態に係る移動通信システムの作用・効果）
本実施形態に係る移動通信システムによれば、移動局ＶＣＣ-ＵＥ＃Ａは、回線交換ネットワーク３Ｇ-ＣＳに対する位置登録要求を送信するだけで、回線交換ネットワーク３Ｇ-ＣＳ及びＶｏＩＰネットワークＩＰ-ＣＡＮの双方において移動局の位置登録を自動的に行うことができるため、移動局ＶＣＣ-ＵＥ＃Ａにおける手順を簡素化すると共に、無線アクセスネットワークにおける信号量を抑制することができる。
【００６０】
また、本実施形態に係る移動通信システムによれば、ＶｏＩＰネットワークＩＰ-ＣＡＮにアクセスすることができないエリアであっても、回線交換ネットワーク３Ｇ-ＣＳにアクセスすることができるエリアであれば、ＶｏＩＰネットワークＩＰ-ＣＡＮにおいても移動局ＶＣＣ-ＵＥ＃Ａの位置登録を行うことができる。
【００６１】
さらに、本実施形態に係る移動通信システムによれば、回線交換ネットワーク３Ｇ-ＣＳとＶｏＩＰネットワークＩＰ-ＣＡＮとの間のハンドオーバー時に移動局の位置登録を行う必要がないため、ハンドオーバー処理に時間を短縮することができる。
【図面の簡単な説明】
【００６２】
【図１】本発明の第１の実施形態に係る移動通信システムの全体構成図である。
【図２】本発明の第１の実施形態に係るＶＭＳＣの機能ブロック図である。
【図３】本発明の第１の実施形態に係るＶＣＣ-ＵＥの機能ブロック図である。
【図４】本発明の第１の実施形態に係る移動通信システムの動作を示すシーケンス図である。
【図５】本発明の第１の実施形態に係る移動通信システムの動作を説明するための図である。
【図６】従来技術に係る移動通信システムの全体構成図である。
【図７】従来技術に係る移動通信システムの動作を説明するための図である。
【符号の説明】
【００６３】
１１…位置登録要求受信部
１２、２１…位置登録要求送信部
１３…加入者情報保持要求受信部
１４…ＩＭＳ登録要求送信部
１５…登録完了応答送信部
２２…登録完了応答受信部
２３…状態管理部
【図１】
0004688638.tif 000002
【図２】
0004688638.tif 000003
【図３】
0004688638.tif 000004
【図４】
0004688638.tif 000005
【図５】
0004688638.tif 000006
【図６】
0004688638.tif 000007
【図７】
0004688638.tif 000008